(57)【要約】【課題】本発明は、別々のフレキシブル配線基板を介して電気的に接続される端子のずれをなくすことを目的とする。【解決手段】本発明に係る表示装置は、表示パネル１０と、表示パネル１０に重なるように配置されたタッチパネル２２とを有し、表示パネル１０は、複数の第１の配線３１が配置された第１フレキシブル配線基板２６が接続され、タッチパネル２２は、複数の第２の配線４４が配置された第２フレキシブル配線基板４２が接続され、第２フレキシブル配線基板４２の複数の第２の配線４４には第２の接続端子４８が接続され、第１フレキシブル配線基板２６の複数の第１の配線３１には第１の接続端子３５が接続され、第１の接続端子３５と、第２の接続端子４８とが電気的に接続されて構成されている。【選択図】図３
2011107389.tif 000002
【特許請求の範囲】
【請求項１】
表示パネルと前記表示パネルに重なるように配置されたタッチパネルとを有するタッチパネル付表示装置において、
前記表示パネルは、複数の第１の配線が配置された第１フレキシブル配線基板が接続され、
前記タッチパネルは、複数の第２の配線が配置された第２フレキシブル配線基板が接続され、
前記第２フレキシブル配線基板の前記複数の第２の配線には第２の接続端子が接続され、
前記第１フレキシブル配線基板の前記第複数の第１の配線には第１の接続端子が接続され、
前記第１の接続端子と、前記第２の接続端子とが電気的に接続されて構成されている表示装置。
【請求項２】
請求項１に記載の表示装置において、
前記複数の第２の配線の間隔は、前記複数の第１の配線間隔よりも広く、
前記第２の接続端子のパッド寸法は、前記第１の接続端子のパッド寸法よりも大きい表示装置。
【請求項３】
請求項１に記載の表示装置において、
前記複数の第１の配線の間隔は、前記複数の第２の配線間隔よりも広く、
前記第１の接続端子のパッド寸法は、前記第２の接続端子のパッド寸法よりも大きい表示装置。
【発明の詳細な説明】
【技術分野】
【０００１】
本発明は、表示装置に関する。
【背景技術】
【０００２】
表示パネルにタッチパネルを重ねた構造の表示装置が知られている（特許文献１）。表示パネルにはフレキシブル配線基板が接続され、タッチパネルにも別のフレキシブル配線基板が接続される。それぞれのフレキシブル配線基板には、回路基板との接続のためのインターフェース端子が設けられている。
【先行技術文献】
【特許文献】
【０００３】
【特許文献１】特開２００８−８３４９１号公報
【発明の概要】
【発明が解決しようとする課題】
【０００４】
従来、表示パネル及びタッチパネルには別々のフレキシブル配線基板が接続されているので、表示パネル及びタッチパネルの位置にずれが生じると、２つのフレキシブル配線基板のインターフェース端子の位置もずれてしまっていた。そのため、２つのフレキシブル配線基板のインターフェース端子を一括して検査機器のコネクタ又はプローブピンに接続することが難しかった。
【０００５】
本発明は、別々のフレキシブル配線基板を介して電気的に接続される端子のずれをなくすことを目的とする。
【課題を解決するための手段】
【０００６】
（１）本発明に係る表示装置は、表示パネルと、前記表示パネルに重なるように配置されたタッチパネルとを有するタッチパネル付表示装置において、前記表示パネルは、複数の第１の配線が配置された第１フレキシブル配線基板が接続され、前記タッチパネルは、複数の第２の配線が配置された第２フレキシブル配線基板が接続され、前記第２フレキシブル配線基板の前記複数の第２の配線には第２の接続端子が接続され、前記第１フレキシブル配線基板の前記第複数の第１の配線には第１の接続端子が接続され、前記第１の接続端子と、前記第２の接続端子とが電気的に接続されて構成されていることを特徴とする。本発明によれば、第１フレキシブル配線基板と第２フレキシブル配線基板を良好に電気的に接続することが可能となる。
【０００７】
（２）（１）に記載された表示装置において、前記複数の第２の配線の間隔は、前記複数の第１の配線間隔よりも広く、前記第２の接続端子のパッド寸法は、前記第１の接続端子のパッド寸法よりも大きいことを特徴としてもよい。この場合、第１フレキシブル配線基板の接続端子と第２フレキシブル配線基板の接続端子とを電気的に接続するときに、多少の位置ずれが起きたとしても接続が可能となる。
【０００８】
（３）（１）に記載された表示装置において、前記複数の第１の配線の間隔は、前記複数の第２の配線間隔よりも広く、前記第１の接続端子のパッド寸法は、前記第２の接続端子のパッド寸法よりも大きいことを特徴としてもよい。この場合にも、第１フレキシブル配線基板の接続端子と第２フレキシブル配線基板の接続端子とを電気的に接続するときに、多少の位置ずれが起きたとしても接続が可能となる。
【図面の簡単な説明】
【０００９】
【図１】本発明の実施形態に係る表示装置を示す平面図である。
【図２】図１に示す表示装置の分解平面図である。
【図３】図１に示す表示装置の一部の拡大断面図である。
【図４】図２のＡ部を拡大した図面である。
【図５】図２のＢ部を拡大した図面である。
【図６】図４に示す構造の変形例を示す図である。
【図７】図５に示す構造の変形例を示す図である。
【発明を実施するための形態】
【００１０】
以下、本発明の実施形態について、図面を参照して説明する。本実施形態では、表示装置として液晶表示装置を例に挙げて説明するが、本発明はこれに限定されるものではなく、有機エレクトロルミネッセンス表示装置、プラズマディスプレイ装置、電界放出ディスプレイ装置などに適用することも可能である。
【００１１】
図１は、本発明の実施形態に係る表示装置を示す平面図である。図２は、図１に示す表示装置の分解平面図である。図３は、図１に示す表示装置の一部の拡大断面図である。
【００１２】
表示装置は、図３に示すように、表示パネル１０を有する。本実施形態では、表示パネル１０は、液晶表示パネルであって、一対の基板１２，１４（ガラス基板）を有し、両者間には図示しない液晶が介在する。液晶の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。一方の基板１２及び他方の基板１４には、それぞれ偏光板１６、偏光板１７が貼り付けられている。他方の基板１４の周縁部には、液晶を駆動するためのドライバ回路を内蔵する集積回路チップ１８が搭載されている。表示パネル１０は、図２に示すように、フレーム２０に支持されている。フレーム２０は、樹脂のモールド成形品からなり、モールドともよばれる。
【００１３】
表示装置は、図３に示すようにタッチパネル２２（例えば静電容量結合方式のタッチパネル）を有する。タッチパネル２２は、表示パネル１０と重なるように配置されている。タッチパネル２２と表示パネル１０とは、粘着層２４によって貼り付けられている。タッチパネル２２が表示パネル１０の表示領域上に配置されているので、表示パネル１０の画像に対して指による入力が可能になっている。
【００１４】
表示装置は、表示パネル１０及びタッチパネル２２の一方（本実施形態では表示パネル１０）に接合された第１フレキシブル配線基板２６を有する。第１フレキシブル配線基板２６は、第３の配線２８を有する。詳しくは、図３に示すように、基材３０の両面に第３の配線２８が形成され、第３の配線２８の表面が、その一部を除いてソルダレジストなどの被覆層３２によって覆われている。
【００１５】
図１に示すように、第３の配線２８には、複数のインターフェース端子３４及び複数の第３の接続端子３６が接続されている。本実施形態では、第１フレキシブル配線基板２６の基材３０が、平面形状において、２つの凸部３８，４０を有している。一方の凸部３８に複数のインターフェース端子３４が形成され、他方の凸部４０に複数の第３の接続端子３６が形成されている。
【００１６】
複数のインターフェース端子３４の数が、複数の第３の接続端子３６の数よりも多くなっている。第１フレキシブル配線基板２６には、第３の配線２８（インターフェース端子３４に接続される配線２９）を介して表示パネル１０に電気的に接続されるように電子部品４１が搭載されている。
【００１７】
図２、３に示すように、表示装置は、表示パネル１０及びタッチパネル２２の他方（本実施形態ではタッチパネル２２）に接合された第２フレキシブル配線基板４２を有する。第２フレキシブル配線基板４２は、第２の配線４４を有する。第２フレキシブル配線基板４２は、第１フレキシブル配線基板２６と重なる部分を有する。そして、第２フレキシブル配線基板４２は、第１フレキシブル配線基板２６に接合されている。
【００１８】
図４は図２のＡの部分を拡大した図面である。また、図５は図２のＢの部分を拡大した図面である。図２、４、及び５に示すように、複数の第１の配線３１及び複数の第２の配線４４は相互に対向する部分を有する。第１の配線３１の両端には、それぞれ第１（一方）の接続端子３５、及び第３（他方）の接続端子３６が配置されている。そして、第２の配線４４の端部には第２の接続端子４８が配置されており、この第２の接続端子４８と第１の配線３１の第１（一方）の接続端子３５とが例えば半田４６によって接続されることになる。
【００１９】
本実施形態では、図４、５に示すように、複数の第２の配線４４のピッチＬ２及び第２の配線４４に接続された第２の接続端子４８のパッド寸法Ｐ２（パッドの幅）は、複数の第１の配線３１のピッチＬ１及び第１の配線３１に接続された第１の接続端子３５のパッド寸法Ｐ１よりも大きく構成している。このように構成すれば、第１フレキシブル配線基板２６の第１の接続端子３５と第２フレキシブル配線基板４２の第２の接続端子４８とを電気的に接続するときに、多少の位置ずれが起きたとしても接続が可能となる。また、第２フレキシブル配線基板４２には、タッチパネル２２の制御用の集積回路チップ５０及び電子部品５２が、第２の配線４４に電気的に接続されて搭載されている。
【００２０】
尚、変形例として、図６及び図７に示すように、第１フレキシブル配線基板１２６側の第１の配線１３１のピッチＬ１１及び第１の配線１３１に接続された接続端子１３５のパッド寸法Ｐ１１を、第２フレキシブル配線基板１４２側の第２の配線１４４のピッチＬ２２及び第２の配線に接続された第２の接続端子１４８のパッド寸法Ｐ２２よりも大きく構成しても同様の効果を得ることができる。
【００２１】
また、図２に示すように、複数のインターフェース端子３４は、第３の配線パターン２８を介して、表示パネル１０及びタッチパネル２２の一方（本実施形態では表示パネル１０）に電気的に接続されている。複数の第３の接続端子３６は、複数の第１の配線３１及び複数の第２の配線４４を介して、表示パネル１０及びタッチパネル２２の他方（本実施形態ではタッチパネル２２）に電気的に接続される。
【００２２】
本実施形態によれば、複数の第２の配線４４に電気的に接続される複数の第３の接続端子３６が、第１フレキシブル配線基板２６に設けられているので、複数のインターフェース端子３４と複数の第３の接続端子３６との位置ずれがなくなる。したがって、第１フレキシブル配線基板２６及び第２フレキシブル配線基板４２に対して、一括して検査機器のコネクタ又はプローブピン（図示せず）に接続することが容易になる。
【００２３】
表示装置は、図３に示すように、光透過性のカバー５４を有する。カバー５４はアクリル若しくはガラスからなる。カバー５４は、印刷層５６を有する。詳しくは、印刷層５６は、カバー５４の中央部を避けて、中央部を囲むように、枠状に形成されている。
【００２４】
カバー５４は、表示パネル１０を向く面に印刷層５６を有する。表示パネル１０の表示面が、光透過性のカバー５４によって覆われているが、表示領域が印刷層５６の内側に配置されるようになっている。なお、カバー５４と表示パネル１０の間にタッチパネル２２が介在しているので、カバー５４は、粘着層５８を介してタッチパネル２２に貼り付けられている。粘着層５８は透明である。粘着層５８は、タッチパネル２２と、カバー５４に粘着している。
【００２５】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２６】
１０  表示パネル、１２  基板、１４  基板、１６  偏光板、１８  集積回路チップ、２０  フレーム、２２  タッチパネル、２４  粘着層、２６  第１フレキシブル配線基板、２８  第３の配線、２９  配線、３０  基材、３１  第１の配線、３２  被覆層、３４  インターフェース端子、３５  第１（一方）の接続端子、３６  第３（他方）の接続端子、３８  凸部、４０  凸部、４１  電子部品、４２  第２フレキシブル配線基板、４４  第２の配線、４６  半田、４８  第２の接続端子、５０  集積回路チップ、５２  電子部品、５４  カバー、５６  印刷層、５８  粘着層。
【図１】
2011107389.tif 000003
【図２】
2011107389.tif 000004
【図３】
2011107389.tif 000005
【図４】
2011107389.tif 000006
【図５】
2011107389.tif 000007
【図６】
2011107389.tif 000008
【図７】
2011107389.tif 000009